(57)【要約】【課題】システム内の大量の画像データが滞留する時間を短くすることを簡便に行うことのできる画像データ管理システムを提供することである。【解決手段】本発明の画像データ管理システム１０に於いては、患者状況管理部１１が患者毎にその病状の状況を管理し、画像データ管理部１２にて前記患者毎の画像データを管理する。そして、画像データ処理管理部１４にて、前記患者の状況と当該患者の画像データに対する処理を、所定の条件に基づいて関連付けて管理する。また、画像保管部１３は、前記画像データ処理管理部１４で関連付けられた処理の状態に従って前記患者の画像データを保管する。【選択図】図１
2009199451.tif 000002
【特許請求の範囲】
【請求項１】
複数の患者の画像データを有し、当該患者の状況に従って前記画像データの処理を行い、該画像データを保管する画像データ管理システムであって、
患者毎にその病状の状況を管理する患者状況管理部と、
前記患者毎の画像データを管理する画像データ管理部と、
前記患者の状況と当該患者の画像データに対する処理を、所定の条件に基づいて関連付けて管理する画像データ処理管理部と、
前記画像データ処理管理部で関連付けられた処理の状態に従って前記患者の画像データを保管する画像保管部と、
を具備することを特徴とする画像データ管理システム。
【請求項２】
前記画像データ処理管理部は、前記画像データに対する処理を少なくとも２種類用意していることを特徴とする請求項１に記載の画像データ管理システム。
【請求項３】
前記画像データ処理管理部による前記画像データに対する処理は、少なくとも画像データの一部を圧縮する圧縮処理を有することを特徴とする請求項２に記載の画像データ管理システム。
【請求項４】
前記画像データ処理管理部での前記患者の状況と前記画像データに対する処理の関連付けを変更する画像データ処理設定部と、を更に具備することを特徴とする請求項１若しくは２に記載の画像データ管理システム。
【請求項５】
前記画像データ処理設定部は、当該画像データの種類に応じて、前記患者の状況と前記画像データに対する処理の関連付けを変更することを特徴とする請求項４に記載の画像データ管理システム。
【発明の詳細な説明】
【技術分野】
【０００１】
本発明は、病院等で扱う画像データ等に対して保管・管理する画像データ管理システムに関するもので、より詳細には、患者の状況（診断、治療、回復期）に合わせて、画像データに対する退避・圧縮等の処理を簡便に行うための技術に適用されるものである。
【背景技術】
【０００２】
近年、高機能、高性能化した医用画像収集装置が普及されてきている。一方で、こうした医用画像収集装置で使用される１件当たりの収集画像が増え、そのデータ量が飛躍的に増大している。このように増大しているデータを圧縮せず、そのままの形で装置内やサーバに保持しておくことは、ディスク容量を圧迫してしまうことになる。
【０００３】
そのため、実際の診断や治療に際して、医師等が読影を行った後、読影に使った大量の画像データをメディア等に退避させることにより、システム内で大量の画像データが滞留する時間を短くするようにしている。
【特許文献１】特開２００６−３２６２８７号公報
【発明の開示】
【発明が解決しようとする課題】
【０００４】
ところで、病院等で画像データを用いて診断するには、画像診断装置上で画像データを用いて読影する場合と、診断用ワークステーション（ＷＳ）等でサーバ等から画像データを取得してＷＳ上で読影する場合、が考えられる。このような場合、何れも前述した従来技術により、画像診断装置上または、サーバ上での大量の画像データが滞留する時間を短くすることができる。
【０００５】
しかしながら、読影が終わった時点では、患者の診断が完了しているかどうかは分からないものであった。そのため、場合によっては、一旦サーバ外のメディア等へ退避した画像データを、再度画像診断装置上に読み出す必要がある可能性もある。このように、サーバ外のメディア等から再読み込みされる画像データは圧縮されたデータであるため、解凍処理等を必要とし、それ故に手間のかかるものであった。
【０００６】
したがって本発明は、前記実情に鑑みてなされたものであり、患者の状況を基に画像データに対する処理（ＨＤＤ、メディア等への退避）を決めておくことで、システム内に滞留する大量の画像データが滞留する時間を短くすることを簡便に行うことのできる画像データ管理システムを提供することを目的とする。
【課題を解決するための手段】
【０００７】
すなわち本発明による画像データ管理システムは、複数の患者の画像データを有し、当該患者の状況に従って前記画像データの処理を行い、該画像データを保管する画像データ管理システムであって、患者毎にその病状の状況を管理する患者状況管理部と、前記患者毎の画像データを管理する画像データ管理部と、前記患者の状況と当該患者の画像データに対する処理を、所定の条件に基づいて関連付けて管理する画像データ処理管理部と、前記画像データ処理管理部で関連付けられた処理の状態に従って前記患者の画像データを保管する画像保管部と、を具備することを特徴とする。
【発明の効果】
【０００８】
本発明によれば、患者の状況に合わせて画像データに対する圧縮等の処理を行うことにより、大量の画像データを効率的に保管することができる。
【０００９】
また、患者の状況に合わせた画像データ処理を決める簡便な手段をシステム管理者に提供することにより、画像データに対する処理の精度を高めることができ、メディア等へ退避した画像を再度読み出す等の頻度を低く抑えることができる。
【発明を実施するための最良の形態】
【００１０】
以下、図面を参照して、本発明の実施形態を説明する。
【００１１】
(第１の実施形態)
図１は、本発明の第１の実施形態に係る画像データ管理システムの構成を示したブロック図である。
【００１２】
この画像データ管理システム１０は、患者状況管理部１１と、画像データ管理部１２と、画像データ保管部１３と、画像データ処理管理部１４と、を有して構成されるもので、病院等で扱う患者データ、特に画像データを、患者の状況に合わせて、画像の退避／圧縮／典型症例の抽出等の処理を行い、画像データの保管を効率的に行う画像データ管理システムである。
【００１３】
前記患者状況管理部１１は、患者毎に受付／検査／診断／治療準備／治療／回復／退院、等の病状の状況を管理するためのものである。例えば、患者Ａの状況は検査、患者Ｂの状況は診断、患者Ｃの状況は回復、…というように、それぞれの状況が、管理データ１１１、１１２、１１３、…により管理されている。
【００１４】
前記画像データ管理部１２は、患者の画像データを管理するためのものである。ここでは、前述した患者Ａ、患者Ｂ、患者Ｃ、…のそれぞれに対して、画像データ１２１、１２２、１２３、…が管理される。
【００１５】
前記画像データ保管部１３は、患者の画像データを保管する部分である。この画像データ保管部１３は、例えば、サーバ内のハードディスク（ＨＤ）１３１、１３１ａと、サーバ外メディア１３２等に分かれている。この例では、患者Ａの画像データ１２１はサーバ内ＨＤ１３１に格納され、患者Ｃの画像データ１２３はサーバ内ＨＤ１３１ａとサーバ外メディア１３２に分けて格納されて管理される。その他の患者の画像データも、同様にして何れかの記憶部に格納されて管理されるようになっている。尚、この画像データ保管部１３は、前述した例以外に、例えば大容量ハードディスクやＤＶＤチェンジャ等で構成してもよい。
【００１６】
前記画像データ処理管理部１４は、患者の状況と画像データに対する処理を、所定の条件に基づいて関連付けして管理するためのものである。この画像データ処理管理部１４は、画像データ管理部１２からの患者状況問い合わせに対して、当該患者の状況及びその画像データがどのような状態であるかを関連付けて、関連付けデータ１４１、１４２、１４３、…として管理している。この関連付けデータは、予め病院のシステム管理者等によって決められているものとする。また、所定の条件とは、例えば、後述するような画像データの状態が「非圧縮（ＮＡ）」、「圧縮」、「退避」で処理されるにあたり、非圧縮で画像が必要な場合はどの状況か、圧縮してもよい画像はどの状況か、退避してもよい画像はどの状況か、を満たしているかによる。
【００１７】
本実施形態の例では、患者の状況として、「受付」、「検査」、「診断」、「治療準備」、「治療」、「回復」、「退院」があり、画像データの状態としては「非圧縮（ＮＡ）」、「圧縮」、「退避」がある。そして、例えば「受付」、「検査」、「診断」はそれぞれ患者の受付時、検査時、診断時の状態、「治療準備」は治療を開始する前の状態、「治療」は治療時の状態、「回復」は治療が済んで入院病棟に入っている状態、「退院」は病状が回復した後に入院病棟から出た状態である。
【００１８】
また、「非圧縮（ＮＡ）」は取得された画像そのままでデータ量が変わっていない画像データの状態であることを表す。「圧縮」は取得された画像のデータ量が圧縮される状態を表したもので、診断が下される根拠となる部分の画像に対応する画像データは非圧縮としてサーバ内ＨＤ１３１ａに格納され、前記根拠となる部分以外の画像データは圧縮されてサーバ外メディア１３２に格納されるようになっている。更に、「退避」は全ての画像に対応するデータが圧縮された画像データがサーバ外メディア１３２に格納されることを表している。
【００１９】
そして、関連付けデータ１４１は「受付」で「非圧縮」の状態、関連付けデータ１４２は「検査」で「非圧縮」の状態、関連付けデータ１４３は「診断」で「非圧縮」の状態、関連付けデータ１４４は「治療準備」で「圧縮」、関連付けデータ１４５は「治療」で「圧縮」、関連付けデータ１４６は「回復」で「圧縮」、そして関連付けデータ１４７は「退院」で「退避」が、本実施形態に於ける条件となっている。
【００２０】
次に、このような構成の画像データ管理システム１０のデータ処理動作について、図２のフローチャートを参照して説明する。
【００２１】
先ず、患者状況管理部１１より、ある患者の状況の問い合わせが画像データ管理部１２に通知される。すると、ステップＳ１にて、画像データ管理部１２からの問い合わせ通知が画像データ処理管理部１４で受信される。ここで、受信された患者の状況が、続くステップＳ２〜Ｓ７に於いて判定される。すなわち、前記患者の状況が、ステップＳ２では「受付」、ステップＳ３では「検査」、ステップＳ４では「診断」、ステップＳ５では「治療準備」、ステップＳ６では「治療」、そしてステップＳ７では「回復」であるか否かが判定される。
【００２２】
その結果、患者の状況が「受付」、「検査」、「診断」の何れかであれば、関連付けデータ１４１、１４２、１４３に従って、それぞれステップＳ８、Ｓ９、Ｓ１０にて、当該患者の画像データは非圧縮であるとして画像データ管理部１２に通知される。また、患者の状況が「治療準備」、「治療」、「回復」の何れかであった場合は、関連付けデータ１４４、１４５、１４６に従って、それぞれステップＳ１１、Ｓ１２、Ｓ１３にて、当該患者の画像データは圧縮であるとして画像データ管理部１２に通知される。更に、患者の状況が前述した「受付」、「検査」、「診断」、「治療準備」、「治療」、「回復」の何れでもない、すなわち「退院」の場合は、関連付けデータ１４７に従って、ステップＳ１４にて、当該患者の画像データは退避される旨が画像データ管理部１２に通知される。
【００２３】
こうして、当該患者の状況に従った関連付けデータ１４１〜１４７に基づいて、前述したステップＳ８〜Ｓ１４で通知された画像データの処理（形式変更、格納等）が、ステップＳ１５にて行われる。
【００２４】
これにより、非圧縮の画像データは画像データ保管部１３内のサーバ内ＨＤ１３１に格納される。また、圧縮と通知された画像データは、診断が下された根拠となる部分の画像に対応するデータは非圧縮としてサーバ内ＨＤ１３１ａに格納され、前記根拠となる部分以外の画像データは圧縮されてサーバ外メディア１３２に格納される。そして、退避と通知された画像データは、全て圧縮されて画像データ保管部１３内のサーバ外メディアに格納される。
【００２５】
つまり、診断等で詳しい画像が必要な場合は、非圧縮の画像データがサーバ内ＨＤ１３１に格納されているので、画像を再度読出す場合にも手間がかからない。また、治療や回復等で必要な画像が特定される場合は、その他の不要な画像の部分のデータを圧縮しているため、必要な部分の画像を読み出せばよいので、手間がかからず、且つ、画像データ保管部１４のディスク容量を圧迫することもない。
【００２６】
尚、画像データは、前述した保管状態に限られるものではなく、種々変形が可能である。
【００２７】
例えば、退避と通知された画像データは、全てのデータを圧縮してサーバ外メディア１３２に格納されるのではなく、画像データ保管部１３より除かれるようにしてもよい。同様に、圧縮と通知された画像データは、全て画像データ保管部１３内のサーバ外メディア１３２に格納されるようにしてもよい。
【００２８】
このように、画像データ処理管理部１４に於いて、患者の状況に対応付けた関連付けデータを管理することにより、画像データに対する処理の精度を高めることができ、大量の画像データを効率的に保管することができる。
【００２９】
（第２の実施形態）
次に、本発明の第２の実施形態について説明する。
【００３０】
図３は、本発明の第２の実施形態に係る画像データ管理システムの構成を示したブロック図である。
【００３１】
この画像データ管理システム２０は、患者状況管理部１１と、画像データ管理部１２と、画像データ保管部１３と、画像データ処理管理部１４と、画像データ処理設定部１５とを有して構成される。この画像データ管理システム２０は、前述した第１の実施形態に於ける画像データ管理システム１０に画像データ処理設定部１５を加えた構成となっている。
【００３２】
したがって、以下に述べる第２の実施形態に於いて、画像データ処理設定部１５以外の画像データ管理システムの基本的な構成及び動作については、前述した第１の実施形態と同じであるので、説明の重複を避けるため、同一の部分には同一の参照番号を付して、その図示及び説明を省略し、異なる部分についてのみ説明する。
【００３３】
画像データ処理設定部１５は、病院の管理者等に患者の状況毎に画像データ処理の設定を変更する手段である。この画像データ処理設定部１５内には、画像データ処理管理部１４内で管理されている関連付けデータ１４１〜１４７に対応して、患者の状況及び画像データの現状処理状態を表す関連付け基データ１５１〜１５７と、該関連付け基データ１５１〜１５７の画像データ部分と変更可能な複数の変更後処理データ１６１、１６２、１６３を有している。
【００３４】
次に、このような構成の画像データ管理システム２０のデータ処理動作について、図４のフローチャートを参照して説明する。
【００３５】
先ず、患者状況管理部１１より、ある患者の状況の問い合わせが画像データ管理部１２に通知される。すると、ステップＳ２１にて、画像データ管理部１２からの問い合わせ通知が画像データ処理管理部１４で受信される。ここで、受信された患者の状況が、続くステップＳ２２〜Ｓ２７に於いて判定される。すなわち、前記患者の状況が、ステップＳ２２では「受付」、ステップＳ２３では「検査」、ステップＳ２４では「診断」、ステップＳ２５では「治療準備」、ステップＳ２６では「治療」、そしてステップＳ２７では「回復」であるか否かが判定される。
【００３６】
その結果、患者の状況が「受付」、「検査」、「診断」の何れかであれば、それぞれステップＳ２８、Ｓ３０、３２に移行して、画像データの管理状況が変更されるか否かが判定される。ここで、変更される場合は、後述するステップＳ４３に移行する。一方、前記画像データの管理状況が変更されない場合は、画像データ処理管理部１４の関連付けデータ１４１、１４２、１４３に従って、それぞれステップＳ２９、Ｓ３１、Ｓ３３に移行して、当該患者の画像データは非圧縮であるとして画像データ管理部１２に通知される。
【００３７】
また、患者の状況が「治療準備」、「治療」、「回復」の何れかであった場合は、それぞれステップＳ３４、Ｓ３６、３８に移行して、画像データの管理状況が変更されるか否かが判定される。ここで、変更される場合は、後述するステップＳ４３に移行する。一方、前記画像データの管理状況が変更されない場合は、画像データ処理管理部１４の関連付けデータ１４４、１４５、１４６に従って、それぞれステップＳ３５、Ｓ３７、Ｓ３９にて、当該患者の画像データは圧縮であるとして画像データ管理部１２に通知される。
【００３８】
更に、患者の状況が前述した「受付」、「検査」、「診断」、「治療準備」、「治療」、「回復」の何れでもない、すなわち「退院」の場合は、ステップＳ４０に移行して、画像データの管理状況が変更されるか否かが判定される。ここで、変更される場合は、後述するステップＳ４３に移行する。一方、前記画像データの管理状況が変更されない場合は、画像データ処理管理部１４の関連付けデータ１４７に従って、ステップＳ４１にて、当該患者の画像データは退避される旨が画像データ管理部１２に通知される。
【００３９】
こうして、当該患者の状況に従った関連付けデータ１４１〜１４７に基づいて、前述したステップＳ２９、Ｓ３１、Ｓ３３、Ｓ３５、Ｓ３７、Ｓ３９及びＳ４１で通知された画像データの処理（形式変更、格納等）が、ステップＳ４２にて行われる。
【００４０】
これに対し、前記ステップＳ２８、Ｓ３０、Ｓ３２、Ｓ３４、Ｓ３６、Ｓ３８及びＳ４０に於いて、画像データの管理状況が変更される場合は、ステップＳ４３及びＳ４４に於いて、画像データ処理設定部１５により画像データの状況が変更される。ここで、非圧縮の変更後処理データ１６１が選択されたならば、ステップＳ４５に移行して、その変更された画像データに対応する関連付けデータが、画像データ処理管理部１４に通知される。その後、ステップＳ４８にて、当該画像データは非圧縮であるとして、画像データ処理管理部１４から画像データ管理部１２に通知され、入れ換え処理が行われる。
【００４１】
同様に、圧縮の変更後処理データ１６２が選択されたならば、ステップＳ４６に移行して、その変更された画像データに対応する関連付けデータが、画像データ処理管理部１４に通知される。その後、ステップＳ４８にて、当該画像データは圧縮であるとして、画像データ処理管理部１４から画像データ管理部１２に通知され、入れ換え処理が行われる。
【００４２】
更に、退避の変更後処理データ１６３が選択されたならば、ステップＳ４７に移行して、その変更された画像データに対応する関連付けデータが、画像データ処理管理部１４に通知される。その後、ステップＳ４８にて、当該画像データは退避であるとして、画像データ処理管理部１４から画像データ管理部１２に通知され、入れ換え処理が行われる。
【００４３】
そして、当該患者の変更後の状況に従った関連付けデータ（図示せず）に基づいて、前述したステップＳ４５、Ｓ４６、Ｓ４７で通知された画像データの処理（形式変更、格納等）が、ステップＳ４２にて行われる。
【００４４】
例えば、図３に於いて、病院に於ける患者Ｃの状況は回復状態であり、本来ならばその画像データは、画像データ処理管理部１４の関連付けデータ１４６によって圧縮処理が実行されるものである。ここで、病院のシステム管理者等によりグラフィカルユーザインタフェイス（ＧＵＩ）が操作されることによって、「回復」状況の画像データが、関連付け基データ１５６ではなく、変更後処理データ１６３の退避に変更されたとする。すると、この入れ換え処理により、図示されないが関連付けデータの「回復」状況の画像データが「退避」に変更され、その旨の通知が画像データ管理部１２になされる。そして、退避と通知された画像データは、全て圧縮されて画像データ保管部１３内のサーバ外メディア１３２に格納される。
【００４５】
このような画像データの処理を変更することは、例えば、画像データ保管部に格納されるデータ容量に応じて行われるようにしてもよい。また、例えば、循環器、放射線等、得られる医用画像の種類によって、関連付けデータの処理を変更するようにしてもよい。
【００４６】
尚、本第２の実施形態に於いても、画像データは、前述した保管状態に限られるものではなく、種々変形が可能である。
【００４７】
このように、第２の実施形態によれば、患者の状況に合わせた画像データ処理の選択を行うことができるので、画像データに対する処理の精度を高めることができ、メディア等へ退避した画像を再度読み出す等の頻度を低く抑えることができる。
【００４８】
また、前述した実施形態に於いて、画像データは非圧縮、圧縮で保存、または退避として説明したが、これ以外にも、例えば本件出願人による先の出願である特願２００６−１１００５９号公報に記載されているように、画像データを退避させる以外に、実質的に削除する、物理的に削除する、という形態をとるものであってもよい。
【００４９】
更に、患者の状況と画像データの状態を表す関連付けデータは、「受付」、「検査」、「診断」が非圧縮、「治療準備」、「治療」、「回復」が圧縮、「退院」が退避として説明したが、例えば、循環器、放射線等、医療機器の種類、或いはモダリティによって、関連付けやその種類、数が異なるものであってもよい。これらは患者状況管理部１１により明らかになる。
【００５０】
以上、本発明の実施形態について説明したが、本発明は前述した実施形態以外にも、本発明の要旨を逸脱しない範囲で種々の変形実施が可能である。
【００５１】
更に、前述した実施形態には種々の段階の発明が含まれており、開示される複数の構成要件の適当な組合せにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００５２】
【図１】本発明の第１の実施形態に係る画像データ管理システムの構成を示したブロック図である。
【図２】第１の実施形態に於ける画像データ管理システム１０のデータ処理動作について説明するためのフローチャートである。
【図３】本発明の第２の実施形態に係る画像データ管理システムの構成を示したブロック図である。
【図４】第２の実施形態に於ける画像データ管理システム２０のデータ処理動作について説明するためのフローチャートである。
【符号の説明】
【００５３】
１０、２０…画像データ管理システム、１１…患者状況管理部、１２…画像データ管理部、１３…画像データ保管部、１４…画像データ処理管理部、１５…画像データ処理設定部、１１１、１１２、１１３、……管理データ、１２１、１２２、１２３、……画像データ、１３１、１３１ａ…サーバ内のハードディスク（ＨＤ）、１３２…サーバ外メディア、１４１、１４２、１４３、１４４、１４５、１４６、１４７…関連付けデータ。
【図１】
2009199451.tif 000003
【図２】
2009199451.tif 000004
【図３】
2009199451.tif 000005
【図４】
2009199451.tif 000006